(57)【要約】【課題】十分な吸収性能が発現できると共に、装着感に優れる吸収性物品を提供すること。【解決手段】本発明の吸収性物品１は、肌側シート２、非肌側シート３及び吸収性コア４１を備える。肌側シート２では、高凸部列２１Ｌと低凸部列２２Ｌとが縦方向Ｘに交互に配される。吸収性コア４１は、第一及び第三領域４１Ｆ，４１Ｒとの間の第二領域４１Ｍに第一及び第三領域４１Ｆ，４１Ｒよりも坪量の多い高坪量部４２を備える。高坪量部４２は、吸収性コア４１の縦方向Ｘの長さよりも短く、縦方向Ｘに沿う両側縁が吸収性コア４１の両側縁４１ｓ，４１ｓまで及ぶ。高坪量部４２は、縦方向Ｘに沿う両側部に配される一対の側方高坪量部４２Ｓ，４２Ｓと、一対の側方高坪量部４２１Ｓ，４２１Ｓの間に配される横中央高坪量部４２１Ｃとを有する。各側方高坪量部４２１Ｓ，４２１Ｓは密度が横中央高坪量部４２１Ｃよりも高く、厚さが横中央高坪量部４２１Ｃよりも薄い。【選択図】図１
2018102640.tif 000002
【特許請求の範囲】
【請求項１】
肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、
前記吸収性コアは、前記前方区域側に位置する第一領域と前記後方区域側に位置する第三領域との間に第二領域を有し、該第二領域には、該第一領域側及び該第三領域側における坪量よりも、坪量の多い高坪量部を備えており、
前記高坪量部は、前記吸収性コアを平面視して、該高坪量部の縦方向の長さが該吸収性コアの縦方向の長さよりも短く、該高坪量部の縦方向に沿う両側縁が該吸収性コアの縦方向に沿う両側縁にまで及び、
前記高坪量部は、その縦方向に沿う両側部に配される一対の側方高坪量部と、該一対の側方高坪量部の間に配される横中央高坪量部とを有し、
各側方高坪量部は、その密度が前記横中央高坪量部の密度よりも高く、その厚みが前記横中央高坪量部の厚みよりも薄い、吸収性物品。
【請求項２】
前記吸収性コアを平面視して、前記高坪量部は、横方向の中央部における縦方向の長さが、該高坪量部の側縁の縦方向の長さよりも長い、請求項１に記載の吸収性物品。
【請求項３】
前記吸収性コアを平面視して、前記高坪量部は、縦方向の長さが、横方向の中央部から前記側縁に向かって漸減する部分を有する、請求項１又は２に記載の吸収性物品。
【請求項４】
前記吸収性物品を肌対向面側から平面視して、各側方高坪量部の縦方向に沿う側縁と重なる位置の肌対向面側に、液不透過性シートが配されている、請求項１〜３の何れか１項に記載の吸収性物品。
【請求項５】
前記肌側シートと前記吸収性コアとが圧搾一体化された線状圧搾溝として、前記吸収性コアの縦方向に延びる縦圧搾溝を有しており、
前記縦圧搾溝が、前記横中央高坪量部を縦方向に縦断するように形成されている、請求項１〜４の何れか１項に記載の吸収性物品。
【請求項６】
前記肌側シートは、前記吸収性物品を肌対向面側から平面視して、該肌側シートと前記吸収性コアとが重なる位置に、肌対向面側に突出した凸部を複数有する、請求項１〜５の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン、使い捨ておむつ等の吸収性物品においては、排泄された体液が多い場合などでは、日常の生活行動の中においても液漏れに繋がる場合があった。そのため、吸収性物品の吸収性コアにおいて、中央部分に坪量の大きい中高部分を設けることにより広い範囲で体液を吸収する方法が提案されている（例えば特許文献１〜２）。
特許文献１では、吸収性物品の吸収性コアにおいて、中央領域に、他の部分よりも高さが高く密度も高い中央部を設け、該中央部が吸収性コアの全幅に亘って配されている吸収性物品が記載されている。
また、特許文献２には、吸収性物品の吸収体が、積層状態にある上方吸収部と下方吸収部とを含み、上方吸収部の幅と下方吸収部の幅とが同じ寸法となっている吸収性物品が記載されている。
【先行技術文献】
【特許文献】
【０００３】
【特許文献１】特開昭６１−６０２号公報
【特許文献２】特開２０１２−８１２４６号公報
【発明の概要】
【発明が解決しようとする課題】
【０００４】
しかし、特許文献１では、吸収性コアの全幅に亘って配された高さ及び密度の高い中高部分が形成されているのみであるため、中高部分で吸収できる量を超えると液の拡散が起こり、拡散した液が横漏れを生じさせるおそれがある。
また特許文献２は、上方吸収部の幅と下方吸収部の幅とが同じ寸法であり、厚みが一定の吸収部となっているため装着感を損なうおそれがある。
【０００５】
したがって本発明は、前述した従来技術が有する欠点を解消し得る吸収性物品を提供することにある。
【課題を解決するための手段】
【０００６】
本発明は、肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、前記吸収性コアは、前記前方区域側に位置する第一領域と前記後方区域側に位置する第三領域との間に第二領域を有し、該第二領域には、該第一領域側及び該第三領域側における坪量よりも、坪量の多い高坪量部を備えており、前記高坪量部は、前記吸収性コアを平面視して、該高坪量部の縦方向の長さが該吸収性コアの縦方向の長さよりも短く、該高坪量部の縦方向に沿う両側縁が該吸収性コアの縦方向に沿う両側縁にまで及び、前記高坪量部は、その縦方向に沿う両側部に配される一対の側方高坪量部と、該一対の側方高坪量部の間に配される横中央高坪量部とを有し、各側方高坪量部は、その密度が前記横中央高坪量部の密度よりも高く、その厚みが前記横中央高坪量部の厚みよりも薄い、吸収性物品を提供するものである。
【発明の効果】
【０００７】
本発明によれば、十分な吸収性能が発現できると共に、着用感に優れる。
【図面の簡単な説明】
【０００８】
【図１】図１は、本発明の吸収性物品の好ましい一実施形態である生理用ナプキンの肌対向面側（肌側シート側）を示す平面図である。
【図２】図２は、図１に示す生理用ナプキンの有する肌側シートにおけるエンボス部の形状及び配置パターンを示す平面図である。
【図３】図３は、図１に示す生理用ナプキンの有する吸収性コアにおける肌対向面側の平面図である。
【図４】図４は、図３のＸ−Ｘ線断面を模式的に示す断面図である。
【図５】図５は、図３のＸＩ−ＸＩ線断面を模式的に示す断面図である。
【図６】図６は、図１に示す生理用ナプキンの有する肌側シートと吸収性コアとの配置関係を示す拡大平面図である。
【図７】図７は、図１のＸＩＩＩ−ＸＩＩＩ線断面を模式的に示す断面図である。
【図８】図８は、図１に示すＸＩＶ−ＸＩＶ線断面を模式的に示す断面図である。
【図９】図９（ａ）ないし図９（ｂ）は、図１に示す生理用ナプキンの備える吸収性コアの製造工程を説明する説明図である。
【図１０】図１０は、本発明の吸収性物品の好ましい他の実施形態である生理用ナプキンの有する他の実施形態の吸収性コアを肌対向面側から視た平面図である。
【発明を実施するための形態】
【０００９】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート側から視た平面図が示されている。本実施形態のナプキン１は、図１に示すように、肌対向面を形成する肌側シート２と、非肌対向面を形成する非肌側シート３と、これら両シート２，３間に介在された吸収性コア４１とを備え、着用者の前後方向に対応する縦方向Ｘと該縦方向Ｘに直交する横方向Ｙとを有し、前方区域Ａ及び後方区域Ｃを有する。ナプキン１は、図１に示すように、着用者の液排泄部に対向配置される中間区域Ｂと、該中間区域Ｂの縦方向Ｘの前後に配置された前方区域Ａ及び後方区域Ｃとに区分されている。
【００１０】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１１】
ナプキン１は、図１に示すように、着用時に着用者の液排泄部（膣口等）に対向配置される中間区域Ｂと、該中間区域Ｂよりも着用者の腹側（前側）寄りに配される前方区域Ａと、該中間区域Ｂよりも着用者の背側（後側）寄りに配される後方区域Ｃとを有している。即ち、ナプキン１は、縦方向Ｘに、前方区域Ａ、中間区域Ｂ及び後方区域Ｃの順番で区分される。
【００１２】
尚、本発明の吸収性物品において、中間区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１３】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。
【００１４】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１５】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。ナプキン１では、一対のサイドシート５，５は、それぞれ、図１に示すように、波形状の接合部６にて肌側シート２に接合されている。接合部６よりも横方向Ｙ外側端よりも内方に、サイドシート５と肌側シート２とが接合されていない空間部が形成され、横方向Ｙの中央から外方へ流れる経血等の体液が該空間部に収容されるようになり、結果として体液の漏れが効果的に防止できる。
【００１６】
ナプキン１は、図１に示すように、縦方向Ｘに沿う左右両側で、サイドフラップ部１Ｓが中間区域Ｂにおいて横方向Ｙの外方に向かって大きく張り出した、一対のウイング部１Ｗ，１Ｗを備えている。また、肌側シート２及び非肌側シート３は、図１に示すように、吸収体４の縦方向Ｘの前端及び後端それぞれから縦方向Ｘの外方に延出し、それらの延出部において、互いに接合されてエンドシール部を形成している。
【００１７】
ナプキン１では、図１に示すように、肌側シート２と吸収性コア４１とが圧搾一体化され、肌側シート２の肌対向面に、肌側シート２及び吸収体４が非肌側シート３側に向かって一体的に凹陥してなる線状圧搾溝７が形成されている。ナプキン１では、線状圧搾溝７は、図１に示すように、吸収体４の前方区域Ａ及び後方区域Ｃそれぞれに横方向Ｙに延びる横圧搾溝７１と、吸収体４の中間区域Ｂの縦方向Ｘに沿う両側部に縦方向Ｘに延びる縦圧搾溝７３とを有しており、全体として環状の全周溝となっている。尚、線状圧搾溝７は、線状に延びていれば、溝の底部の厚みが一定であってもよく、溝の底部の厚みが一定でなくてもよい。線状圧搾溝７は、肌側シート２及び吸収体４に関して、構成部材である各々の繊維の密度が、該線状圧搾溝７の周囲部の密度よりも高くなっている。ナプキン１では、両縦圧搾溝７３，７３は、後述する横中央高坪量部４２Ｃを縦方向Ｘに縦断するように形成されている。このように形成された線状圧搾溝７は、吸収体４の平面方向への体液の拡散を抑制して、ナプキン１の周囲から液漏れを効果的に防止することができる。特に、縦圧搾溝７３を横中央高坪量部４２Ｃに形成することで、横中央高坪量部４２Ｃで体液を縦方向Ｘに拡散してから後述する一対の側方高坪量部４２１Ｓ，４２１Ｓに移行できるので、体液の横漏れを一層抑制できる。
【００１８】
ナプキン１では、肌側シート２は、肌対向面側に突出した複数の凸部とその間の凹部を備えた、凹凸構造をなしている（図７，図８参照）。より具体的には、図２に示すように、ナプキン１の肌側シート２は、エンボス部２Ｅで囲まれた大多角形領域ＢＴ内に存在する高凸部２ｔ１と、小多角形領域ＳＴ内に存在する、該高凸部２ｔ１よりも高さの低い低凸部２ｔ２とを複数有している。肌側シート２は、少なくとも吸収性コア４１の後述する高坪量部４２と重なる位置に、肌側シート２の肌対向面側に突出した凸部２ｔを複数有している。ナプキン１では、吸収性コア４１の全域に、肌側シート２の高凸部２ｔ１及び低凸部２ｔ２を有している。ナプキン１の肌側シート２では、高凸部２ｔ１が横方向Ｙに沿って複数配された高凸部列２１Ｌと、低凸部２ｔ２が横方向Ｙに沿って複数配された低凸部列２２Ｌとが、縦方向Ｘに交互に配されている。斯かる構成によれば、肌側シート２の凸部が肌に接触し、凹部は接触しにくく、そのため、着用者の肌との接触面積を効果的に低減することができ、着用者の肌と肌側シート２との間に通気性を確保し易くなる上に、排泄された体液が肌に接触する液戻りを、べたつき感やムレ感を更に低減することができる。特に、横方向Ｙに配された高凸部列２１Ｌと低凸部列２２Ｌが縦方向Ｘに交互に並ぶ本実施形態では、その効果が高く、しかも通気性にも優れる。尚、図中のＸ方向は、肌側シート２の製造時の機械方向（ＭＤ方向）及びナプキン１の縦方向Ｘと同じ方向である。また、図中のＹ方向は、肌側シートの製造時の機械方向（ＭＤ方向）に直交する方向（ＣＤ方向）及びナプキン１の横方向Ｙと同じ方向である。また、図中のＺ方向は、厚み方向である。
【００１９】
ナプキン１の肌側シート２は、熱収縮性繊維を含む熱収縮繊維層と、該熱収縮性繊維を含まない又は該熱収縮性繊維の含有割合が熱収縮繊維層よりも低い非熱収縮繊維層とを有することが好ましい。ナプキン１では、肌側シート２は、熱収縮性繊維を含む熱収縮繊維層と、該熱収縮性繊維を含まない非熱収縮繊維層とを有している。ナプキン１の肌側シート２は、非肌対向面側に配された熱収縮繊維層の肌対向面上に非熱収縮繊維層が配された積層構造体となっており、複数のエンボス部２Ｅが形成されたシートである。高凸部２ｔ１と低凸部２ｔ２とは、第１層の非熱収縮繊維層で構成されており、非熱収縮繊維層を構成する同一の繊維で満たされている。このような肌側シート２は特開２０１５−１８６５４３号公報に記載の製造方法によって得ることができる。
【００２０】
次に、ナプキン１では、吸収体４を構成する吸収性コア４１は、図３に示すように、縦方向Ｘの前方区域Ａ側に位置する第一領域４１Ｆ及び後方区域Ｃ側に位置する第三領域４１Ｒを有し、第一領域４１Ｆと第三領域４１Ｒとの間に第二領域４１Ｍを有している。第二領域４１Ｍには、第一領域４１Ｆ側及び第三領域４１Ｒ側における坪量よりも、坪量の多い高坪量部４２を備えている。ナプキン１では、吸収性コア４１の第二領域４１Ｍは、中間区域Ｂに配置されている。ナプキン１では、中間区域Ｂに高坪量部４２を有している。
【００２１】
ナプキン１のように、横方向Ｙ両外側に一対のウイング部１Ｗを備える場合には、各ウイング部１Ｗ，１Ｗにおける縦方向Ｘに間隔を空けて配されたウイング部１Ｗの付け根どうし間に第二領域４１Ｍが存在している。つまり、ナプキン１では、第二領域４１Ｍの縦方向Ｘの長さは、各ウイング部１Ｗ，１Ｗにおける縦方向Ｘに間隔を空けて配されたウイング部１Ｗの付根どうし間の長さと同一である。
【００２２】
また、ナプキン１では、第二領域４１Ｍは、図４に示すように、後述する高坪量部境界溝４３及び高密度部４７を除き、第二領域４１Ｍの前方に位置する第一領域４１Ｆ及び第二領域４１Ｍの後方に位置する第三領域４１Ｒの各領域における吸収性コア４１の厚みよりも厚みが厚くなっている。ナプキン１では、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２３】
ナプキン１では、好適に、ナプキン１では、図４に示すように、高坪量部４２の厚みが、吸収性コア４１における第一領域４１Ｆの厚み及び第三領域４１Ｒの厚みよりも厚く、且つ、吸収性コア４１における第一領域４１Ｆの坪量よりも坪量が高い。高坪量部４２の厚み及び坪量と比較する第一領域４１Ｆ及び第三領域４１Ｒのそれぞれの厚み及び坪量は、第一領域４１Ｆ及び第三領域４１Ｒに後述する溝部４５が形成されている場合には、第一領域４１Ｆ及び第三領域４１Ｒにおける溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。
【００２４】
ナプキン１では、第二領域４１Ｍの備える高坪量部４２は、図３に示すように吸収性コア４１を平面視して、高坪量部４２の縦方向Ｘの長さが吸収性コア４１の縦方向Ｘの長さよりも短く、高坪量部４２の縦方向Ｘに沿う両側縁４２ｓ，４２ｓが吸収性コア４１の縦方向Ｘに沿う両側縁４１ｓ，４１ｓにまで及んでいる。好適には、高坪量部４２は、図３に示すように吸収性コア４１を平面視して、高坪量部４２の最大幅部が吸収性コア４１の縦方向Ｘに沿う両側縁に従って縦方向Ｘに所定の長さに延在して形成される高坪量縦中央部４２１を有している。図５に示すように、高坪量縦中央部４２１の最大幅部の横方向Ｙの長さは、吸収性コア４１の全幅Ｗ１と同一となっている。なお、ここで吸収性コア４１の幅とは、高坪量部４２を含めた吸収性コア４１の幅を意味する。すなわち、高坪量部４２を横方向Ｙに断面視したとき、隣接する第一領域４１Ｆ及び第三領域４１Ｒの肌当接面側の表面の高さ位置よりも、肌当接面側に位置する高坪量部４２の幅（肌側幅）が、非肌当接面側に位置する高坪量部４２の幅（非肌側幅）と同じ又は大きければ、高坪量部４２の最大幅は吸収性コア４１の幅と同一である。高坪量部４２の最大幅部は肌側幅と非肌側幅が略同一であることが望ましく、特に厚み方向Ｚに略均一であることが望ましい。
【００２５】
ナプキン１では、吸収性コア４１は、吸収性物品が多少ズレた状態で着用されても、十分な吸収性能が発現できるように、高坪量縦中央部４２１の面積をできるかぎり広くすることが好ましい。このような観点から、高坪量縦中央部４２１は、図３に示すように、最大幅部において、吸収性コア４１の縦方向Ｘに沿う両側縁４１ｓ，４１ｓ間は、一定の間隔であることが好ましく、両側縁４１ｓ，４１ｓはそれぞれ、縦方向Ｘに平行であり、且つ直線状となっていることがより好ましい。ただし、製造時における、吸収性コア４１における高坪量部４２の横方向Ｙの位置ズレ、高坪量部４２の欠け、生産方法に起因する型の抜き傾斜、端部の丸めや面取り等により、高坪量部４２の幅と吸収性コア４１の幅とが多少異なる程度、例えば、最大幅部の幅の５％程度の差の範囲であれば同一の幅とする。最大幅とは横方向Ｙにおける最も長い位置での距離を意味する。なお、図３においては、高坪量部４２の横方向Ｙにおける最大幅部での横方向Ｙの長さが、吸収性コア４１の第二領域４１Ｍにおける横方向Ｙの最大長さと同じであり、吸収性コア４１の横方向Ｙの最大長さと同じである。
【００２６】
ナプキン１では、高坪量部４２は、図３に示すように吸収性コア４１を平面視して、上述したように、吸収性コア４１の縦方向Ｘに沿う両側縁４１ｓ，４１ｓ間に亘って帯状（矩形状）に延在する高坪量縦中央部４２１を有している。高坪量部４２は、高坪量縦中央部４２１から前方区域Ａ側又は後方区域Ｃ側に向かって高坪量部４２の前記最大幅部よりも横方向Ｙの長さが狭くなっている前方側凸部４２２又は後方側凸部４２３を備えている。ナプキン１では、１個の前方側凸部４２２及び１個の後方側凸部４２３を有している。
【００２７】
ナプキン１では、図３に示すように、前方側凸部４２２は、略二等辺三角形状に形成されており、前方側凸部４２２の頂部４２２ｔが縦方向Ｘに延びる中心線ＣＬ上に配され、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びている。
また、ナプキン１では、後方側凸部４２３は、前方側凸部４２２と同様に略二等辺三角形状に形成されており、後方側凸部４２３の頂部４２３ｔが縦方向Ｘに延びる中心線ＣＬ上に配され、後方側凸部４２３を形成する両側辺４２３ｓ，４２３ｓが、それぞれ、頂部４２３ｔから吸収性コア４１の縦方向Ｘに沿う側縁４１ｓに亘って直線形状に延びている。
【００２８】
このように、高坪量部４２は、前方側凸部４２２、帯状に延在する高坪量縦中央部４２１及び後方側凸部４２３を有しているので、ナプキン１では、図３に示すように、平面視で、高坪量部４２は、横方向Ｙの中央部における縦方向Ｘの長さが、該高坪量部４２の側縁４２ｓの縦方向Ｘの長さよりも長い。また、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びており、後方側凸部４２３を形成する両側辺４２３ｓ，４２３ｓが、それぞれ、頂部４２３ｔから吸収性コア４１の縦方向Ｘに沿う側縁４１ｓに亘って直線形状に延びている。このように、吸収性コア４１を平面視して、高坪量部４２は、縦方向Ｘの長さが、横方向Ｙの中央部から側縁４ｓに向かって漸減する部分を有している。
【００２９】
ナプキン１では、図３に示すように、ナプキン１の吸収性コア４１における前方側凸部４２２では、両側辺４２２ｓ，４２２ｓの間隔（幅ｄ）が、吸収性コア４１の縦方向Ｘに沿う両側縁４１ｓ，４１ｓから頂部４２２ｔに向かって漸減している。同様に、ナプキン１の吸収性コア４１における後方側凸部４２３では、両側辺４２３ｓ，４２３ｓの間隔（幅ｄ）が、吸収性コア４１の縦方向Ｘに沿う両側縁４１ｓ，４１ｓから頂部４２３ｔに向かって漸減している。ここで、幅ｄが漸減しているとは、頂部４２２ｔ，４２３ｔに向って幅ｄが連続的に少しずつ減少していることである。ナプキン１では、高坪量部４２が平面視六角形状となっている。
【００３０】
ナプキン１における吸収性コア４１では、一方の側辺４２２ｓと縦方向Ｘに延びる中心線ＣＬとのなす角αは、身体形状へのフィット性及び動きの中での追従性向上の観点から、好ましくは２０°以上７５°以下、より好ましくは３０°以上６０°以下である。後方側凸部４２３も前方側凸部４２２と同様である。
【００３１】
ナプキン１では、吸収性コア４１の高坪量部４２は、図３に示すように吸収性コア４１を平面視して、その縦方向Ｘに沿う両側部に配される一対の側方高坪量部４２１Ｓ，４２１Ｓと、該一対の側方高坪量部４２１Ｓ，４２１Ｓの間に配される横中央高坪量部４２１Ｃとを有している。ナプキン１では、高坪量部４２が一対の側方高坪量部４２１Ｓ，４２１Ｓと、横中央高坪量部４２１Ｃとに区分されている。
【００３２】
高坪量部４２の一対の側方高坪量部４２１Ｓ，４２１Ｓは、ナプキン１では、高坪量部４２の縦方向Ｘに沿う両側部を肌対向面側から厚さ方向Ｚに押圧して形成されたものであり、その密度が横中央高坪量部４２１Ｃの密度よりも高く、その厚みが横中央高坪量部４２１Ｃの厚みよりも薄くなっている。各側方高坪量部４２１Ｓ，４２１Ｓは、ナプキン１では、高坪量部４２の縦方向Ｘに沿う各側部において、該高坪量部４２の前方側凸部４２２から後方側凸部４２３に亘って形成されている。即ち各側方高坪量部４２１Ｓ，４２１Ｓは、前方側凸部４２２、高坪量縦中央部４２１及び後方側凸部４２３を含んでおり、ナプキン１では、図３に示すように吸収性コア４１を平面視して、横方向Ｙの外方に凸の略台形状に形成されている。
【００３３】
高坪量部４２の相対的に密度の低い横中央高坪量部４２１Ｃは、ナプキン１では、高坪量部４２の一対の相対的に密度の高い側方高坪量部４２１Ｓ，４２１Ｓの間で、各側方高坪量部４２１Ｓ，４２１Ｓに隣接配置されている。横中央高坪量部４２１Ｃは、ナプキン１では、図５に示すように吸収性コア４１を横方向Ｙに沿って断面視して、横方向Ｙの中央部から縦方向Ｘに沿う各側方高坪量部４２１Ｓ，４２１Ｓに向かって、その高さが低くなっている。このように横中央高坪量部４２１Ｃが形成されていると、中間区域Ｂにおける液の吸収性等を向上させることができる。
【００３４】
ナプキン１では、各側方高坪量部４２１Ｓ，４２１Ｓの厚みＴ２（図４参照）は、フィット感の観点から、吸収性コア４１における第一領域４１Ｆ及び第三領域４１Ｒの厚みの、好ましくは７０％以上１５０％以下、より好ましくは８０％以上１３０％以下である。
【００３５】
ナプキン１では、図５に示すように、各側方高坪量部４２１Ｓ，４２１Ｓは、その厚みが横中央高坪量部４２１Ｃの厚みＴ１よりも薄い。各側方高坪量部４２１Ｓ，４２１Ｓの厚みＴ２は、着用時の排泄部へのフィット性の観点から、横中央高坪量部４２１Ｃの厚みＴ１の、１０以上９５％以下、より好ましくは３０％以上９０％以下である。上述した構成は、本実施形態のナプキン１のように各側方高坪量部４２１Ｓ，４２１Ｓが中間区域Ｂに設けられているときに、特に有効である。
【００３６】
具体的にナプキン１では、側方高坪量部４２１Ｓ，４２１Ｓの厚みＴ２（図５参照）は、好ましくは２．０ｍｍ以上１０．０ｍｍ以下、より好ましくは３．０ｍｍ以上７．０ｍｍ以下である。なお、各側方高坪量部４２１Ｓ，４２１Ｓの全範囲において上記厚みの関係になっていることが好ましいが、各側方高坪量部４２１Ｓ，４２１Ｓの厚み方向Ｚに増減が設けられているような場合においては、最も厚い部分において上記の関係となっていればよい。
【００３７】
ナプキン１では、横中央高坪量部４２１Ｃの厚みＴ１（図５参照）は、該横中央高坪量部４２１Ｃを肌に向かって突出させて、吸収性コア４１の液の吸収性等を向上させる観点から、吸収性コア４１における第一領域４１Ｆ及び第三領域４１Ｒの厚みの、好ましくは１２０％以上７００％以下、より好ましくは１４０％以上５００％以下である。
またナプキン１では、横中央高坪量部４２１Ｃの厚みＴ１と側方高坪量部４２１Ｓの厚みＴ２との関係については、上述と同様である。なお、横中央高坪量部４２１Ｃの厚みＴ１は、ナプキン１では、横中央高坪量部４２１Ｃにおける縦方向Ｘに延びる中心線ＣＬ上に配された中央部の厚みを意味する。上述した構成は、本実施形態のナプキン１のように横中央高坪量部４２１Ｃが中間区域Ｂに設けられているときに、特に有効である。
【００３８】
具体的にナプキン１では、横中央高坪量部４２１Ｃの厚みＴ１（図５参照）は、好ましくは２．０ｍｍ以上１０．０ｍｍ以下、より好ましくは３．０ｍｍ以上７．０ｍｍ以下である。なお、横中央高坪量部４２１Ｃの全範囲において上記厚みの関係になっていることが好ましいが、ナプキン１のように横中央高坪量部４２１Ｃの厚み方向Ｚに増減が設けられているような場合においては、最も厚い部分（横中央高坪量部４２１Ｃでは、縦方向Ｘに延びる中心線ＣＬ上に配された中央部）において上記の関係となっていればよい。
【００３９】
ナプキン１では、第一領域４１Ｆ又は第三領域４１Ｒの厚みは、好ましくは０．５ｍｍ以上７．０ｍｍ以下、より好ましくは１．０ｍｍ以上３．５ｍｍ以下である。ナプキン１では、第一領域４１Ｆ又は第三領域４１Ｒの厚みは、後述する溝部４５が存在しない部分において、略均一に形成されていることが好ましいが、第一領域４１Ｆ又は第三領域４１Ｒの横方向Ｙ又は縦方向Ｘに漸次的な厚みの増減が設けられているような場合においては、最も厚い部分において上記の関係となっていればよい。
【００４０】
高坪量部４２の横中央高坪量部４２１Ｃ及び各側方高坪量部４２１Ｓ，４２１Ｓ、第一領域４１Ｆ又は第三領域４１Ｒ、後述する高坪量部隣接部４４等の吸収性コア４１の各部の厚みは、以下の方法によって測定される。
【００４１】
＜吸収性コア４１の各部の厚みの測定方法＞
吸収性コアを水平な場所にシワや折れ曲がりがないように静置し、該吸収性コア４１から測定対象物である各部を切り出す。そして、切り出した測定対象物における５ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が５ｃＮ／ｃｍ2となるように大きさを調整した平面視円形状又は正方形状のプレート（３０ｍｍ×３０ｍｍ、厚さ５ｍｍ程度のアクリル板）を配置して、厚みを測定する。吸収性コア４１における第一領域４１Ｆ又は第三領域４１Ｒ等の厚みを測定する際には、後述する溝部４５を含まないように測定する。
【００４２】
ナプキン１では、各側方高坪量部４２１Ｓ，４２１Ｓの坪量は、吸収性能とフィット性とのバランスの観点から、横中央高坪量部４２Ｃ坪量の、好ましくは６０％以上１００％以下、より好ましくは６５％以上９５％以下である。
【００４３】
ナプキン１では、横中央高坪量部４２１Ｃの坪量は、吸収容量と柔軟性のバランスの観点から、吸収性コア４１における第一領域４１Ｆ及び第三領域４１Ｒの坪量の、好ましくは１２０％以上７００％以下、より好ましくは１４０％以上５００％以下である。具体的にナプキン１では、横中央高坪量部４２１Ｃの坪量は、好ましくは１００ｇ／ｍ2以上１５００ｇ／ｍ2以下、より好ましくは２００ｇ／ｍ2以上１２００ｇ／ｍ2以下である。
【００４４】
高坪量部４２の横中央高坪量部４２１Ｃ及び側方高坪量部４２１Ｓの坪量は、上述した吸収性コア４１の各部の厚みの測定方法で説明したように切り出した横中央高坪量部４２１Ｃ及び側方高坪量部４２１Ｓの部分のサンプルの質量を、そのサンプルの肌対向面側の面の面積で除して求める。第一領域４１Ｆの坪量又は第三領域４１Ｒの坪量は、上述した吸収性コア４１の各部の厚みの測定方法で説明したように切り出した第一領域４１Ｆ又は第三領域４１Ｒのサンプルの質量を、そのサンプルの肌対向面側の面の面積で除して求める。吸収性コア４１における第一領域４１Ｆの坪量又は第三領域４１Ｒ等の坪量を測定する際には、後述する溝部４５を含まないように測定する。
【００４５】
ナプキン１では、図５に示すように、各側方高坪量部４２１Ｓ，４２１Ｓの密度は、横中央高坪量部４２１Ｃの密度よりも高い。各側方高坪量部４２１Ｓ，４２１Ｓの密度は、吸収速度と柔軟性のバランスの観点から、横中央高坪量部４２１Ｃの密度の、好ましくは１０５％以上５００％以下、より好ましくは１２０％以上３５０％以下である。具体的にナプキン１では、側方高坪量部４２１Ｓの密度は、好ましくは０．０５ｇ／ｃｍ3以上０．６ｇ／ｃｍ3以下、より好ましくは０．１ｇ／ｃｍ3以上０．５ｇ／ｃｍ3以下である。
【００４６】
またナプキン１では、吸収性コア４１における第一領域４１Ｆの坪量又は第三領域４１Ｒの密度は横中央高密度部に対して８０％以上１２０％以下であることが好ましい。
【００４７】
横中央高坪量部４２１Ｃ、側方高坪量部４２１Ｓ、第一領域４１Ｆ又は第三領域４１Ｒの吸収性コア４１の各部の密度は、以下の方法によって測定される。
【００４８】
＜吸収性コア４１の各部の密度の測定方法＞
側方高坪量部４２１Ｓの密度は、前述した坪量の測定方法で測定した側方高坪量部４２１Ｓの坪量を、前述した厚みの測定方法で測定した側方高坪量部４２１Ｓの厚みで除して算出する。同様に、横中央高坪量部４２１Ｃの密度は、前述した坪量の測定方法で測定した横中央高坪量部４２１Ｃの坪量を、前述した厚みの測定方法で測定した横中央高坪量部４２１Ｃの厚みで除して算出する。また、第一領域４１Ｆ又は第三領域４１Ｒの密度は、前述した坪量の測定方法で測定した第一領域４１Ｆ又は第三領域４１Ｒの坪量を、前述した厚みの測定方法で測定した第一領域４１Ｆ又は第三領域４１Ｒの厚みで除して算出する。
【００４９】
図３に示すように吸収性コア４１を平面視して、高坪量部４２（横中央高坪量部４２１Ｃ）の縦方向Ｘの全長Ｌ２は、吸収性コア４１の縦方向Ｘの全長Ｌ１の、好ましくは２５％以上９０％以下であり、より好ましくは３０％以上７５％以下である。全長Ｌ１とは吸収性コア４１の縦方向Ｘにおける最も長い位置での距離を示し、全長Ｌ２とは高坪量部４２（横中央高坪量部４２１Ｃ）の縦方向Ｘにおける最も長い位置での距離を意味する（図３参照）。尚、高坪量部４２で最も縦方向Ｘの長さの短い、高坪量部４２（側方高坪量部４２１Ｓ）の縦方向Ｘに沿う側縁４２ｓでの長さは、０ｍｍ超であればよく、１ｍｍ以上５０ｍｍ以下の範囲であることが好ましい。
【００５０】
ナプキン１では、高坪量部４２を構成する高坪量縦中央部４２１の縦方向Ｘの全長Ｌ３は、図３に示すように、高坪量部４２（横中央高坪量部４２１Ｃ）の全長Ｌ２の好ましくは２０％以上８０％以下であり、より好ましくは３０％以上７０％以下である。
【００５１】
ナプキン１では、高坪量部４２を構成する前方側凸部４２２の縦方向Ｘの全長Ｌ４は、図３に示すように、高坪量部４２（横中央高坪量部４２１Ｃ）の全長Ｌ２の、好ましくは、５％以上５０％以下であり、より好ましくは１０％以上３０％以下である。高坪量部４２を構成する後方側凸部４２３の縦方向Ｘ全長も、前方側凸部４２２の縦方向Ｘの全長Ｌ４と同様である。なお、全長Ｌ４とは前方側凸部４２２の縦方向Ｘにおける最も長い位置での距離を意味する（図３参照）。
【００５２】
ナプキン１では、図３に示すように、吸収性コア４１は、第二領域４１Ｍに高坪量部４２と高坪量部４２以外の部分との境界を区画する高坪量部境界溝４３を有している。高坪量部境界溝４３は、ナプキン１では、高坪量部４２を構成する前方側凸部４２２を形成する両側辺４２２ｓ，４２２ｓに沿って延在する前方高坪量部境界溝４３ａと、後方側凸部４２３を形成する両側辺４２３ｓ，４２３ｓに沿って延在する後方高坪量部境界溝４３ｃとを有している。前方高坪量部境界溝４３ａ及び後方高坪量部境界溝４３ｃは、吸収性コア４１の横方向Ｙの全長（全幅）に亘り形成されている。このため、脚部からの吸収性コア４１の幅方向の内側に働く力に対し、ナプキン１の縦方向に縦シワが生じ難く、ナプキン１が身体の形状に沿って３次元的にフィットし易くなる。このように、吸収性コア４１では、前方高坪量部境界溝４３ａと後方高坪量部境界溝４３ｃとによって高坪量部４２との境界を区画している。
【００５３】
ナプキン１では、吸収性コア４１における高坪量部境界溝４３の溝幅は、中間区域Ｂにおける液の吸収性等を向上させる観点から、好ましくは、好ましくは０．１ｍｍ以上５．０ｍｍ以下、より好ましくは、０．５ｍｍ以上３．０ｍｍ以下である。尚、高坪量部境界溝４３の溝幅及び後述する厚みは、高坪量部境界溝４３の延びる方向に直交する方向に切断し、切端面の写真から計測する。
ナプキン１では、吸収性コア４１における高坪量部境界溝４３での厚みは、中間区域Ｂにおける液の吸収性等を向上させる観点から、好ましくは、０．０８ｍｍ以上７．０ｍｍ以下、より好ましくは、０．１５ｍｍ以上３．５ｍｍ以下である。
【００５４】
ナプキン１では、高坪量部境界溝４３は、高坪量部４２を構成する各側方高坪量部４２１Ｓ，４２１Ｓの坪量よりも小さく、更に、吸収性コア４１における第一領域４１Ｆの坪量及び第三領域４１Ｒの坪量よりも坪量が小さく形成されている。ここで、第一領域４１Ｆの坪量及び第三領域４１Ｒの坪量とは、溝部４５を有する場合には、溝部４５を除いた部分の坪量を意味する。高坪量部境界溝４３の坪量は、好ましくは１０ｇ／ｍ2以上３５０ｇ／ｍ2以下、より好ましくは２０ｇ／ｍ2以上２５０ｇ／ｍ2以下である。尚、高坪量部境界溝４３の坪量は、上述した吸収性コア４１の各部の厚みの測定方法で説明したように切り出した高坪量部境界溝４３の部分のサンプルの質量を、そのサンプルの肌対向面側の面の面積で除して求める。
【００５５】
ナプキン１では、吸収性コア４１は、図３に示すように、その第二領域４１Ｍに、高坪量部４２及び高坪量部境界溝４３を除く領域に、高坪量部隣接部４４を有している。即ち、ナプキン１では、吸収性コア４１における第二領域４１Ｍが、高坪量部４２、高坪量部境界溝４３及び高坪量部隣接部４４から構成されている。高坪量部隣接部４４は、第二領域４１Ｍにおいて、高坪量部４２を構成する前方側凸部４２２に隣接する第一領域４１Ｆ側に配された前方高坪量部隣接部４４ａと、高坪量部４２を構成する後方側凸部４２３に隣接する第三領域４１Ｒ側に配された後方高坪量部隣接部４４ｃとを有している。前方高坪量部隣接部４４ａは、縦方向Ｘに延びる中心線ＣＬに対して左右対称に形成されている。前方高坪量部隣接部４４ａにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。後方高坪量部隣接部４４ｃも、前方高坪量部隣接部４４ａと同様に、縦方向Ｘに延びる中心線ＣＬに対して左右対称に形成されている。後方高坪量部隣接部４４ｃにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。
【００５６】
ナプキン１では、高坪量部隣接部４４は、図４に示すように、その厚みが、高坪量部境界溝４３の厚みよりも大きく形成されている。また、高坪量部隣接部４４は、その厚みが、吸収性コア４１における高坪量部４２の横中央高坪量部４２１Ｃの厚みよりも小さく、側方高坪量部４２１Ｓの厚みよりも大きく形成されている。さらには、身体の動きへの追従性の観点からは、高坪量部隣接部４４は、その厚みが、第一領域４１Ｆの厚み及び第三領域４１Ｒの厚みと同じか小さくなっていることが好ましい。尚、身体の動きに対し、繰り返し変形した際の吸収性コア４１の強度の観点から、高坪量部隣接部４４は、その厚みが、第一領域４１Ｆの厚み及び第三領域４１Ｒの厚みより大きくなっていてもよい。ナプキン１では、高坪量部隣接部４４の厚みは、好ましくは０．５ｍｍ以上１０．０ｍｍ以下、より好ましくは１．０ｍｍ以上７．０ｍｍ以下である。高坪量部隣接部４４の厚みは、上述した吸収性コア４１の各部の厚みの測定方法に基づいて測定される。
【００５７】
ナプキン１では、高坪量部隣接部４４の坪量が、側方高坪量部４２１Ｓの坪量より小さく、且つ、高坪量部境界溝４３の坪量よりも大きい。更には、身体の動きへの追従性の観点からは、高坪量部隣接部４４の坪量が、第一領域４１Ｆの坪量及び第三領域４１Ｒの坪量以下になっていることが好ましい。尚、身体の動きに対し、繰り返し変形した際の吸収性コア４１の強度の観点から、高坪量部隣接部４４の坪量は、第一領域４１Ｆの坪量及び第三領域４１Ｒの坪量よりも大きくてもよい。ここで、第一領域４１Ｆの坪量及び第三領域４１Ｒの坪量とは、溝部４５を有する場合には、溝部４５を除いた部分の坪量を意味する。高坪量部隣接部４４の坪量は、好ましくは２０ｇ／ｍ2以上８００ｇ／ｍ2以下、より好ましくは５０ｇ／ｍ2以上７００ｇ／ｍ2以下である。尚、高坪量部隣接部４４の坪量は、上述した吸収性コア４１の各部の厚みの測定方法で説明したように切り出した高坪量部隣接部４４のサンプルの質量を、そのサンプルの肌対向面側の面の面積で除して求める。
【００５８】
ナプキン１では、図３に示すように、吸収性コア４１における第一領域４１Ｆ及び第三領域４１Ｒに、周囲よりも坪量が小さい溝部４５を備え、溝部４５が縦方向Ｘに延びる縦溝４５Ｘと横方向Ｙに延びる横溝４５Ｙとを有している。ナプキン１では、第一領域４１Ｆ及び第三領域４１Ｒは、それぞれ、相対的に坪量が小さい溝部４５と相対的に坪量が大きい小吸収部４６とを有している。好適には、溝部４５は、縦方向Ｘに延びる縦溝４５Ｘと、横方向Ｙに延びる横溝４５Ｙとからなる。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４５Ｘ及び横溝４５Ｙで区画された格子の目の位置に配されている。上述した第一領域４１Ｆ及び第三領域４１Ｒの厚み及び坪量とは、小吸収部４６の厚み及び坪量を意味する。
【００５９】
ナプキン１では、第一領域４１Ｆ及び第三領域４１Ｒに溝部４５及び小吸収部４６を有し、第二領域４１Ｍに高坪量部４２、高坪量部境界溝４３及び高坪量部隣接部４４を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００６０】
また、ナプキン１では、肌側シート２は、ナプキン１を肌対向面側から平面視して、該肌側シート２と吸収性コア４１とが重なる位置に、肌対向面側に突出した凸部２ｔを複数有している。即ち肌側シート２は、図１に示すように、ナプキン１を肌対向面側から平面視して、吸収性コア４１と重なる位置に配されており、図６に示すように、肌側シート２の有する複数の凸部２ｔが吸収性コア４１と重なる位置で肌対向面側に突出している。その為、粘性の高い体液等を凸部２ｔ間で保持し易くなるので、例えば、高坪量部４２の各側方高坪量部４２１Ｓ，４２１Ｓに体液が一気に流れ込むことが抑制される。即ち、高坪量部４２の横中央高坪量部４２Ｃに体液等が一旦流れ込むので各側方高坪量部４２１Ｓ，４２１Ｓを有効に活用できるようになり、体液の横漏れを効果的に抑制することができる。特に、ナプキン１では、肌側シート２は、肌側に突出した高凸部２ｔ１と、該高凸部２ｔ１よりも高さの低い低凸部２ｔ２とを有しており、ナプキン１を肌対向面側から平面視して、肌側シート２が横中央高坪量部４２Ｃと重なる位置に配されている。その為、肌側シート２の有する複数の高凸部２ｔ１と低凸部２ｔ２との間で更に体液の拡散を促進できる。
【００６１】
また、ナプキン１は、図６に示すように、中間区域Ｂにおいて、吸収性コア４１の縦方向Ｘに沿う両側縁４１ｓ，４１ｓにまで及ぶ高坪量部４２と重なる位置に、高坪量部４２の横方向Ｙに沿って、肌側シート２の肌対向面側に突出する高凸部２ｔ１が横方向Ｙに沿って複数配された高凸部列２１Ｌを形成しており（図７参照）、低凸部２ｔ２が横方向Ｙに沿って複数配された低凸部列２２Ｌを形成している（図８参照）。そして、図６に示すように、横中央高坪量部４２１Ｃ及び各側方高坪量部４２１Ｓ，４２１Ｓと重なる位置に、高凸部列２１Ｌ及び低凸部列２２Ｌが縦方向Ｘに交互に配されている。
【００６２】
また、ナプキン１では、図１に示すように、ナプキン１を肌対向面側から平面視して、各側方高坪量部４２１Ｓ，４２１Ｓの縦方向Ｘに沿う側縁と重なる位置の肌対向面側に、サイドシート５が配されている（図６及び図７参照）。その為、各側方高坪量部４２１Ｓ，４２１Ｓで吸収された体液が肌側に戻り難い。またサイドシート５の横方向Ｙの内方の端部が側方高坪量部４２１Ｓの全体を覆わない（各側方高坪量部４２１Ｓ，４２１Ｓの縦方向Ｘに沿う側縁と重なる位置のみを覆う）ようにすることで、表面を流れてきた体液も側方高坪量部４２１Ｓで素早く吸収し、保持することができる。
【００６３】
上述したナプキン１の吸収性コア４１は、例えば、図９（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００６４】
また、図９（ａ）に示すように、１個の集積用凹部５５の底面５６の一部には、吸収性コア４１の第二領域４１Ｍを形成するための１つの凹部５６ｂが形成されている。また、凹部５６ｂには、その底面に、高坪量部４２と高坪量部隣接部４４とを区分する高坪量部境界溝４３を形成するための第１難通気性部材５７が配置されている。第１難通気性部材５７は、高坪量部境界溝４３に対応する位置に配され、凹部５６ｂの底面から突出するように固定されている。また、凹部５６ｂに隣接する回転方向Ｒの上流側領域及び下流側領域の底面５６には、溝部４５を形成するための第２難通気性部材５８が配置されている。第２難通気性部材５８は、縦溝４５Ｘ及び横溝４５Ｙに対応する位置に配され、集積用凹部５５の底面５６から突出するように固定されている。第１難通気性部材５７及び第２難通気性部材５８は、非通気性部材であっても良く、例えば金属やプラスチック、セラミック等からなる。
【００６５】
積繊ドラムを備えた公知の積繊装置と同様に、集積用凹部５５の底面から吸引しつつ、ダクト内に、吸水性ポリマーとパルプ繊維とを混合したコア材料を供給することによって、図９（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい高坪量部４２となる。同様に、凹部５６ｂに隣接する上流側領域及び下流側領域に堆積したコア材料からなる部分が、坪量が相対的に小さい吸収性コア４１における第一領域４１Ｆ及び第三領域４１Ｒとなる。また、凹部５６ｂの第１難通気性部材５７上に堆積したコア材料からなる部分が、第一領域４１Ｆの坪量及び第三領域４１Ｒの坪量よりも相対的に小さい高坪量部境界溝４３となる。凹部５６ｂに隣接する上流側領域及び下流側領域の第２難通気性部材５８上に堆積したコア材料からなる部分が、小吸収部４６の坪量よりも相対的に小さい溝部４５となる。その後、一対のロール間に単回又は複数回通すこと等により、坪量及び厚みともに相対的に大きい高坪量部４２の縦方向Ｘに沿う両側縁を加圧して適度に圧縮させる。これにより、圧縮された部分に相対的に密度の高い一対の側方高坪量部４２１Ｓ，４２１Ｓが形成されると共に、一対の側方高坪量部４２１Ｓ，４２１Ｓの間に各側方高坪量部４２１Ｓ，４２１Ｓよりも密度の低い横中央高坪量部４２１Ｃが形成される。
【００６６】
上述した本実施形態のナプキン１の各構成部材の形成材料については、当該技術分野で公知のものを使用することができる。
非肌側シート３は、難透液性又は、不透過性を有することが好ましく、坪量が１０〜５０ｇ／ｍ2であり、厚さが、８〜２００μｍであることが好ましい。
【００６７】
吸収性コア４１のコア材料は、パルプ繊維や吸水性ポリマーを使用することができる。また、吸収性コア４１には、消臭剤や抗菌剤等を必要に応じて配合しても良い。
吸収性コア４１を被覆するコアラップシート（不図示）を使用する場合、ティッシュペーパー、透水性の不織布等が使用できる。
【００６８】
サイドシート５としては、液不透過性又は撥水性の樹脂フィルム、樹脂フィルムと不織布との積層体等を用いることができる。
【００６９】
サイドシート５と肌側シート２とを接合する接合部６は熱シール加工により常法に従って形成することができる。
【００７０】
上述したナプキン１によれば、図１及び図３に示すように、吸収性コア４１の縦方向Ｘに沿う両側縁４１ｓ，４１ｓにまで及ぶ高坪量部４２を吸収性コア４１が備えている。その為、ナプキン１の着用中に、より安定的に大量の血液などの体液が吸収できると共に、体液の横方向Ｙへの拡散が制御できる。特にナプキン１は、高坪量部４２の縦方向Ｘに沿う両側部に配される一対の側方高坪量部４２１Ｓ，４２１Ｓと、該一対の側方高坪量部４２１Ｓ，４２１Ｓの間に配される横中央高坪量部４２１Ｃとを有し、一対の側方高坪量部４２１Ｓ，４２１Ｓの密度が横中央高坪量部４２１Ｃの密度よりも高い。その為、例えば、体液の吸収量が多かったり、排泄位置が横方向Ｙの中央からズレたりして吸収性コア４１の横方向Ｙの両端部まで体液が広がった場合でも、横中央高坪量部４２Ｃよりも密度の高い一対の側方高坪量部４２１Ｓ，４２１Ｓが横方向Ｙの両側部まで広がった体液を引き込むため横方向Ｙの端部からの体液の漏れを防止できる。また、ナプキン１は、一対の側方高坪量部４２１Ｓ，４２１Ｓの厚みが横中央高坪量部４２１Ｃの厚みよりも薄いので、装着感を損なわない。このように、ナプキン１によれば、十分な吸収性能が発現できると共に、着用感に優れる。
【００７１】
また、ナプキン１では、第二領域４１Ｍに配される高坪量部４２の縦方向Ｘに沿った両側部に、横中央高坪量部４２Ｃよりも密度の高い一対の側方高坪量部４２１Ｓ，４２１Ｓが配されてため、相対的に坪量や密度の低い第一領域４１Ｆや第三領域４１Ｒが変形しても、第二領域４１Ｍでは一対の側方高坪量部４２１Ｓ，４２１Ｓが配されることで変形し難い。これにより、装着時における違和感や体液の漏れ等の発生を防止できる。
【００７２】
また、ナプキン１では、吸収性コア４１を平面視して、高坪量部４２は、横方向Ｙの中央部における縦方向Ｘの長さが、該高坪量部４２の側縁の縦方向Ｘの長さよりも長く形成されている。図３に示すように、ナプキン１では、横中央高坪量部４２Ｃが、前方側凸部４２２、高坪量縦中央部４２１及び後方側凸部４２３に区分されている。その為、ナプキン１が多少ズレた状態で着用されても、高坪量部４２が前方側凸部４２２及び後方側凸部４２３の何れか一方を有していれば、両大腿部からナプキン１の横方向Ｙ内側への力に対し、前方側凸部４２２及び後方側凸部４２３が変形することで、高坪量部４２が身体形状への追従性に優れ、着用者に違和感を与え難くなっている。特に、ナプキン１では、各側方高坪量部４２１Ｓ，４２１Ｓの縦方向Ｘの間隔（幅）が横方向Ｙの外方に向かって漸減しており、吸収性コア４１を平面視して、高坪量部４２は、縦方向Ｘの長さが、横方向Ｙの中央部から側縁に向かって漸減する部分を有しているので、高坪量部４２の身体形状への追従性が更に向上する。
【００７３】
以上、本発明をその好ましい実施形態に基づき説明したが、本発明の吸収性物品は本実施形態のナプキン１に何ら制限されるものではなく、適宜変更可能である。
【００７４】
また、ナプキン１の吸収性コア４１は、その全体が一体成形されているが、一体成形されていなくてもよい。例えば、吸収性コア４１において、第一領域４１Ｆから第三領域４１Ｒに亘って同じ高さにコア材料で形成しておき、次に、別のコア材料で形成されたものを配置して高坪量部４２を形成してもよい。
【００７５】
また、ナプキン１の吸収性コア４１における高坪量部４２（横中央高坪量部４２１Ｃ及び一対の側方高坪量部４２１Ｓ，４２１Ｓ）は、図１０に示すような形態であってもよい。図１０に示す吸収性コア４１においては、第一領域４１Ｆ側及び第三領域４１Ｒ側における坪量よりも坪量の多い高坪量部４２が、吸収性コア４１の縦方向Ｘに長い縦長形状を有する横中央高坪量部４２ＢＣと、横中央高坪量部４２ＢＣの縦方向Ｘに沿う両側縁それぞれから横方向Ｙ外方に延出して吸収性コア４１の縦方向Ｘに沿う両側縁４１ｓ，４１ｓにまで及ぶ一対の側方高坪量部４２ＢＳ，４２ＢＳとを有する。図１０の横中央高坪量部４２ＢＣは、図３の相対的に密度の低い横中央高坪量部４２１Ｃに対応している。横中央高坪量部４２ＢＣは、中間区域Ｂのみに形成されていても良いが、図１０に示す吸収性コア４１では、中間区域Ｂから後方区域Ｃの一部に亘って延在している。また図１０の一対の側方高坪量部４２ＢＳ，４２ＢＳは、図３の相対的に密度の高い一対の側方高坪量部４２１Ｓ，４２１Ｓに対応している。図１０に示すナプキン1では、一対の側方高坪量部４２ＢＳ，４２ＢＳに対応する部分を、例えば、一対のロール間に通すことにより圧縮して密度の高い一対の側方高坪量部４２１Ｓ，４２１Ｓが形成されると共に、一対の側方高坪量部４２ＢＳ，４２ＢＳの間に密度の低い横中央高坪量部４２ＢＣが形成される。このように圧縮して形成されるため、密度の高い側方高坪量部４２ＢＳの厚みが、密度の低い横中央高坪量部４２ＢＣよりも厚みが薄くなる。中間区域Ｂから後方区域Ｃの一部に亘って延在する横中央高坪量部４２ＢＣは、第三領域４１Ｒにおける横中央高坪量部４２ＢＣを除く周辺の坪量よりも坪量が多く形成されている。各側方高坪量部４２ＢＳ，４２ＢＳは、第一領域４１Ｆ及び第三領域４１Ｒにおける坪量よりも坪量が多く形成されている。横中央高坪量部４２ＢＣ及び一対の側方高坪量部４２ＢＳ，４２ＢＳを有する高坪量部４２は、図１０に示すように、横方向Ｙの中央部における縦方向Ｘの長さが、該高坪量部４２の側縁の縦方向Ｘの長さよりも長く形成されている。
【００７６】
図１０に示す吸収性コア４１においては、高坪量部４２は、厚みの薄い高坪量部境界溝４３ｍを有している。ここで「厚みの薄い高坪量部境界溝４３ｍ」とは、厚み方向Ｚに薄くても厚みを有する有底である場合と、吸収性コアの構成材料を全く存在せずに吸収性コアを貫通している場合の双方を含んでおり、高坪量部４２における他の部位よりも厚みが薄くなっている部位のことを意味する。ナプキン１では、高坪量部境界溝４３ｍは、その底部の坪量が、吸収性コア４１の他の領域、具体的には、第一領域４１Ｆ及び第三領域４１Ｒの小吸収部４６の坪量よりも低くなっている。
【００７７】
図１０に示す吸収性コア４１においては、高坪量部境界溝４３ｍは、高坪量部４２の輪郭に沿って延びる外周高坪量部境界溝４３ｍａを有している。ナプキン１では、図２に示すように、吸収性コア４１の高坪量部４２は、相対的に坪量が低い高坪量部境界溝４３ｍと相対的に坪量が高く高坪量部境界溝４３ｍで囲まれた複数の高坪量部小吸収部４３ｋとを有するブロック構造が、縦方向Ｘに複数配されたブロック領域を有している。高坪量部境界溝４３ｍは、外周高坪量部境界溝４３ｍａと、外周高坪量部境界溝４３ｍａ以外に、吸収性コア４１の横方向Ｙに延びる横高坪量部溝部４３ｍｙと、吸収性コア４１の縦方向Ｘに延びる縦高坪量部溝部４３ｍｘとを有している。横高坪量部溝部４３ｍｙは、吸収性コア４１の第一領域４１Ｆ及び第三領域４１Ｒに配された横方向Ｙに延びる横溝４５Ｙと連続して一直線上に形成されている。また、縦高坪量部溝部４３ｍｘは、吸収性コア４１の第一領域４１Ｆ及び第三領域４１Ｒに配された縦方向Ｘに延びる縦溝４５Ｘと連続して一直線上に形成されている。吸収性コア４１の高坪量部境界溝４３ｍは、横溝４５Ｙ及び縦溝４５Ｘと同様に、肌対向面側に開口している。
図３に示す吸収性コア４１を図１０に示す吸収性コア４１に換えたとしても、上述したナプキン１と同様の効果が得られる。
【００７８】
尚、図１０に示す吸収性コア４１においては、横中央高坪量部４２ＢＣが、中間区域Ｂから後方区域Ｃの一部に亘って延在しているが、中間区域Ｂから前方区域Ａの一部に亘って延在していてもよく、中間区域Ｂから前方区域Ａの一部に亘って延在すると共に後方区域Ｃの一部に亘って延在していてもよい。
【００７９】
また、ナプキン１の肌側シート２に代えて、均一な凸部を備える例えば特開２００９−５１２号公報記載のものや、凸部を有さないフラットなシートであってもよい。
【００８０】
また、ナプキン１の吸収性コア４１は、溝部４５を肌対向面側から非肌対向面側に向かって窪むように形成しているが、溝部４５を非肌対向面側から肌対向面側に向かって窪むように形成してもよい。これにより、液拡散性及び液保持性が向上する。
【００８１】
また、本発明の吸収性物品は、生理用ナプキンの他、パンティライナー（おりものシート）、失禁パッド等であってもよい。
【符号の説明】
【００８２】
１  生理用ナプキン（吸収性物品）
Ａ  前方区域
Ｂ  中間区域
Ｃ  後方区域
２  肌側シート
２ｔ  凸部
２ｔ１  高凸部
２１Ｌ  高凸部列
２ｔ２  低凸部
２２Ｌ  低凸部列
２Ｅ  エンボス部
３  非肌側シート
４  吸収体
４１  吸収性コア
４１Ｆ  吸収性コアの第一領域
４１Ｍ  吸収性コアの第二領域
４１Ｒ  吸収性コアの第三領域
４２  高坪量部
４２１  高坪量縦中央部
４２２  前方側凸部
４２３  後方側凸部
４２１Ｃ  横中央高坪量部
４２１Ｓ  側方高坪量部
４３  高坪量部境界溝
４４  高坪量部隣接部
４５  溝部
４６  小吸収部
５  サイドシート
６  接合部
７  線状圧搾溝
【図１】
2018102640.tif 000003
【図２】
2018102640.tif 000004
【図３】
2018102640.tif 000005
【図４】
2018102640.tif 000006
【図５】
2018102640.tif 000007
【図６】
2018102640.tif 000008
【図７】
2018102640.tif 000009
【図８】
2018102640.tif 000010
【図９】
2018102640.tif 000011
【図１０】
2018102640.tif 000012